(57)【要約】      （修正有）【課題】電源が太陽電池と商用電源とに切り換え可能な換気用窓パネル装置の提供。【解決手段】引戸窓１の引戸４を一部半開きにして、そのスペースに、太陽電池９、モータ付ファン６、AC-DCコンバータ７、吸気口１０、切替スイッチ８等を装着したパネル５を挿入し、昼間は太陽電池９による電力で換気、太陽不照時または夜間には商用電源の電力で換気又は排煙等に使用できる半固定式の換気用窓パネル装置で、太陽電池９の受光面を太陽方向に向ける傾斜角度を最適条件に調整できる機能を備え、引戸窓１への着脱が容易で、昼間時の換気は商用電源不要な構成とする。【選択図】図１
2013040482.tif 000002
【特許請求の範囲】
【請求項１】
太陽電池とモータ付ファンとAC-DCコンバータと切替スイッチと吸気窓を装置したパネルを、引戸を半開きにして出来た、引戸と窓枠の隙間に挿入し、前記モータ付ファンは太陽電池と商用電源のいずれかの電力を必要に応じて切替使用することを特徴とする換気用窓パネル装置。
【請求項２】
前記請求項１に記載の換気用窓パネル装置において、前記パネルの上端側に窓枠上溝と係合するパネル上リブを設け、下端側に窓枠下レールと係合するパネル下溝を設け、最外側又は最内側の引戸のいずれか一方を半開きにし、窓枠と引戸の隙間に前記パネルを着脱可能にしたことを特徴とする換気用窓パネル装置。
【請求項３】
前記請求項１または２に記載の換気用窓パネル装置において、前記モータ付ファンの動力源を太陽電池の出力と商用電源のAC-DCコンバータ出力を切替える前記切替スイッチは、少なくとも「太陽電地」と「OFF」と「商用電源」を意味する表示の３位置に切替可能にしたことを特徴とする換気用窓パネル装置。
【請求項４】
前記請求項１から３のいずれかに記載の換気用窓パネル装置において、前記モータ付ファンは前記パネルの上端部に装着し、前記吸気口は前記パネルの下端部に設けたことを特徴とする換気用窓パネル装置。
【請求項５】
前記請求項１から４のいずれかに記載の換気用窓パネル装置において、前記太陽電池は、前記パネルの外側で上下方向の略中央に設置し、前記パネル外面に対し、太陽電池の上端側を回転自在に上部支持部材で固定し、下端側を傾斜ステーと回転自在に連結し、前記傾斜ステーの多端をパネル面の垂直方向に移動できるパネル移動支点に回転自在に連結して、前記太陽電池の受光面が垂直位置と上向き傾斜角度約４０度の間で調整可能にしたことを特徴とする換気用窓パネル装置。
【発明の詳細な説明】
【技術分野】
【０００１】
この発明は、引戸窓に装着したパネルに太陽電池と商用電源と切替スイッチとモータ付ファンと吸気窓を備えた換気扇で太陽電池又は商用電源で必要に応じ室内換気を行うものである。
【背景技術】
【０００２】
下記文献に示す、従来の「ソーラーパネル付換気扇」は、太陽電池とモータ付ファンをセットにして、持ち運び容易で、換気に必要な部位に随意に装着し換気操作を行う構造であるが、太陽不照時や夜間に使用できず、取付け準備や格納することが面倒で、取り扱いが不便であった。
【先行技術文献】
【特許文献】
【０００３】
【特許文献１】特許公開２００９−１０９０４３号公報
【発明の概要】
【０００４】
本発明は上記事情に鑑みてなされたもので、引戸窓の戸を一部半開きにして、そのスペースに、太陽電池、モータ付ファン、AC-DCコンバータ、吸気窓等を装着したパネルを装着し、昼間は太陽電池による換気、夜間には商用電源による排煙等に使い分けできる半固定式の換気用窓パネル装置である。
【発明が解決しようとする課題】
【０００５】
（１）引戸窓への装着や取外しが容易で、パネルに換気装置の装着一体化。
（２）太陽電池と商用電源で昼夜の区別なく換気操作が可能。
（３）昼間無人室は太陽電池による電気代無しの換気で室内温上昇の防止。
(４) 太陽不照時または夜間は、商用電源により排煙、換気に使用可能。
【課題を解決するための手段】
【０００６】
（１）パネルの上下端に引戸と同様な係合用凹凸部を設け着脱容易化。
（２）太陽電池と商用電源のDC化により、昼夜無関係に換気使用可能。
（３）昼間無人室は、必要に応じ太陽電池電力で連続換気を行う。
(４) 夜間は、商用電源のDC化で随意に排煙・換気操作で行う。  
【発明の効果】
【０００７】
前記解決手段により、従来品に比べ、下記の点が大幅に改善される。
（１）パネル装置は引戸窓に随意に着脱可能で、建物に特別な加工が不要。
（２）スイッチ操作で太陽電池や商用電源の選択的使用が可能電で便利。
(３) 昼間無人室の過度な温度上昇を防止し、室内に置く植物、動物の生命保護。  
（４）夜間は商用電源で、焼肉やタバコの煙の排出、一酸化炭素中毒の防止。
【図面の簡単な説明】
【０００８】
【図１】本案の引戸窓への装着図
【図２】本案の側面断面図(図１のA-A’断面)
【図３】本案の電気回路概要図
【発明を実施するための形態】
【０００９】
以下に図１から図３を参照して本案の構造と作動を説明する。
図１は本案の引戸窓への装着図、図２は図１のA-A’断面、図３は本案の電気回路概要図である。
図1の１は引戸窓で、通常は引戸が2〜4枚で構成されている。2は引戸窓を構成する外周に設けた窓枠で、下側枠の上面には引戸の本数に合わせて2b窓枠下レールが装着され、上側枠の下面には引戸の本数に合わせて2a窓枠上溝が掘られている。3引戸の下端面には前記の2b窓枠下レールと係合する複数の滑車が装着された3b引戸下溝が設けられ、引戸の移動を容易にしている。他方の上端には前記2a窓枠上溝に係合する3a引戸上リブが設けられ、引戸の外れを防止している。
5パネルの装着は、複数本の引戸の内、最外側又は最内側の引戸と2窓枠との間に挿入取付けするが、図1では4引戸外側と2窓枠の間に挿入していて、5パネル上端には5aパネル上リブが設けられ、2a窓枠上溝に挿入され、他方の下端には5bパネル下溝が設けられ、2b窓枠下レールと係合される。5パネルの装着は、通常の引戸と同じ要領で、上側の2a窓枠上溝に5aパネル上リブを挿入し、次に2b窓枠下レールに5bパネル下溝を挿入すればよい。取外しは前記操作と逆の手順で行えばよい。5パネルには上端部に6aモータと6bファンが一体的に構成された6モータ付ファンが室内側から外側に向けて送風される様に取付けられ、下端部には10吸気口が設けられ、その穴を囲む様に11防虫網が取り付けられている。前記6モータ付ファンの下部で室内側に7のAC-DCコンバータと8切替スイッチが取付けられ、図1には記載が省略されているが、7のAC-DCコンバータの入力電源用リード線が商用電力のACコンセントに接続されている。また、5パネルの外側で、上下方向の略中央に9a電池ベースに装着された9太陽電池の上端部は12上部支持部材によって5パネル面に回転可能に固定されている。他方下端部は13下部支持部材によって14傾斜ステーと回転自在に連結され、その他端は15パネル移動支点と回転自在に連結され、15パネル移動支点は5パネル外面に沿って上下方向に移動と固定可能で、図2の上方向に行くほど9太陽電池表面と5パネル外面で作られる角度θは小さくなり、0度から40度の範囲で調節可能で、日本国内の通常では30度程度が日照時間が最も長いとされている。
【００１０】
次に、図１から図３を用いて使用方法を説明する。
５パネルの脱着方法は前記した通りで、図１又は図２の様に装着すればよい。
９太陽電池の装着角度θは前述で、３０度程度が日本では最適と説明したが、１引戸窓の上部には通常屋根のひさしが張り出していて、その日陰に成らないよう選択的にθ角度を調整する要が有る。
次に図３で電気回路を説明する。まず前記７AC-DCコンバータに接続されたACコードは商用電源コンセントに接続して下さい。図３本案の電気回路概要図に示す様に、９太陽電池から出力されるDC電流端子とAC電源を７AC-DCコンバータでDC電流に変換した電流端子と６a DCモータの入力端子を８切替スイッチに接続し、８切替スイッチの可動子をノブの操作で、６aDCモータ入力を図３の最上部に切り替えると９太陽電池出力が接続され、昼間の室内温度が日照りで上昇すると同時に９太陽電池の出力で６モータ付ファンが作動し、前記の温度上昇空気を室外に排出すると共に、１０吸気口から外部の冷えた空気を吸引し、室内空気の対流で温度上昇を防止します。その時１１防虫網は流入空気に交じって虫の吸い込みを防止します。
次に前記可動子を中立位置に切り替えるとスイッチはOFFとなり、６モータ付ファンは停止し、換気は中止されます。
次に前記可動子を最下部に切り替えると６aDCモータ入力は７AC-DCコンバータのDC出力と接続され、商用電力が供給されている限り、前記ファンは作動し、
夜間や太陽の不照時でも換気や焼肉・タバコの煙を排煙することが出来て便利です。また、図１又は３のスイッチ切替位置の表示例は「SOL.」「OFF」「AC」
としましたが、「太陽電池」「スイッチOFF」「商用電源」を意味する表示とする。
尚、この事例では、６aモータをDCモータを使用した場合で説明していますが、AC100V用モータを使用する場合は、AC-DCコンバータは不要で、代わりに太陽電池出力側にDC-ACコンバータを挿入すれば、作用効果は変わりません。
また、他の方法として、図３の回路で９太陽電池の出力端子＋極と−極の間にリチュウムイオン電池等を接続すれば、夜間や太陽不照時でも、一定時間は使用可能になりますが、充電可能電池のコストが高く、AC-DCコンバータの方がコストが安く実用的です。いずれも本発明の権利範囲内と考えます。
次に、主要部品の性能面を説明します。
9 太陽電池のサイズは180-190mmX250-260mm  厚さ15-20mm 出力最大4.5W 電流最大250mAで、 6モータ付ファンのサイズは80X80X25.5mm 最大風量0.73-1.2m3/分  駆動電圧8.4-13.8V/DC
電流160mA 程度の物が使用できる。出力電流に余裕が有るので、もう一回り大きなファンを使用しても良い。
【産業上の利用可能性】
【００１１】
従来のソーラーパネル付換気扇は、太陽電池とモータ付ファンをセットにしたもので、太陽不照時または夜間には使用不能で、装着の取付け穴や配線が必要で、着脱が面倒であった。本案の「換気用窓パネル装置」は引戸窓の戸を半開きにして本案品を引戸と窓枠間に嵌めて、AC電源を接続すれば準備完了で、着脱が容易です。
電源は太陽電池と商用電源を選択的に使用可能で、昼間時は太陽光エネルギーで室内換気を行い、夜間は商用電源で必要に応じ排煙・換気が行える便利な装置で、省エネや健康管理に大きく貢献できると考えます。
【符号の説明】
【００１２】
１引戸窓、２窓枠、２a窓枠上溝、２b窓枠下レール、３内側引戸、３a引戸上リブ、３b引戸下溝、４外側引戸、５パネル、５aパネル上リブ、５bパネル下溝、６モータ付ファン、６aモータ、６bファン、７AC-DCコンバータ、８切替スイッチ、９太陽電池、９a電池ベース、１０吸気口、１１防虫網、１２上部支持部材、１３下部支持部材、１４傾斜ステー、１５パネル移動支点
【図１】
2013040482.tif 000003
【図２】
2013040482.tif 000004
【図３】
2013040482.tif 000005
【手続補正書】
【提出日】平成23年11月3日(2011.11.3)
【手続補正１】
【補正対象書類名】明細書
【補正対象項目名】０００９
【補正方法】変更
【補正の内容】
【０００９】
以下に図１から図３を参照して本案の構造と作動を説明する。        図１は本案の引戸窓への装着図、図２は図１のA-A’断面、図３は本案の電気回路概要図である。
図1の１は引戸窓で、通常は引戸が2〜4枚で構成されている。2は引戸窓を構成する外周に設けた窓枠で、下側枠の上面には引戸の本数に合わせて2b窓枠下レールが装着され、上側枠の下面には引戸の本数に合わせて2a窓枠上溝が掘られている。3引戸の下端面には前記の2b窓枠下レールと係合する複数の滑車が装着された3b引戸下溝が設けられ、引戸の移動を容易にしている。他方の上端には前記2a窓枠上溝に係合する3a引戸上リブが設けられ、引戸の外れを防止している。
5パネルの装着は、複数本の引戸の内、最外側又は最内側の引戸と2窓枠との間に挿入取付けするが、図1では4引戸外側と2窓枠の間に挿入していて、5パネル上端には5aパネル上リブが設けられ、2a窓枠上溝に挿入され、他方の下端には5bパネル下溝が設けられ、2b窓枠下レールと係合される。5パネルの装着は、通常の引戸と同じ要領で、上側の2a窓枠上溝に5aパネル上リブを挿入し、次に2b窓枠下レールに5bパネル下溝を挿入すればよい。取外しは前記操作と逆の手順で行えばよい。5パネルには上端部に6aモータと6bファンが一体的に構成された6モータ付ファンが室内側から外側に向けて送風される様に取付けられ、下端部には10吸気口が設けられ、その穴を囲む様に11防虫網が取り付けられている。前記6モータ付ファンの下部で室内側に7のAC-DCコンバータと8切替スイッチが取付けられ、図1には記載が省略されているが、7のAC-DCコンバータの入力電源用リード線が商用電力のACコンセントに接続されている。また、5パネルの外側で、上下方向の略中央に9a電池ベースに装着された9太陽電池の上端部は12上部支持部材によって5パネル面に回転可能に固定されている。他方下端部は13下部支持部材によって14傾斜ステーと回転自在に連結され、その他端は15パネル移動支点と回転自在に連結され、15パネル移動支点は5パネル外面に沿って上下方向に移動と固定可能で、図2の上方向に行くほど9太陽電池表面と5パネル外面で作られる角度θは小さくなり、太陽電池の受光面が垂直位置と水平位置の範囲で調節可能で、日本国内の通常では60度程度が日照時間が最も長いとされている。
【手続補正２】
【補正対象書類名】特許請求の範囲
【補正対象項目名】請求項５
【補正方法】変更
【補正の内容】
【請求項５】
前記請求項１から４のいずれかに記載の換気用窓パネル装置において、前記太陽電池は、前記パネルの外側で上下方向の略中央に設置し、前記パネル外面に対し、太陽電池の上端側を回転自在に上部支持部材で固定し、下端側を傾斜ステーと回転自在に連結し、前記傾斜ステーの多端をパネル面の垂直方向に移動できるパネル移動支点に回転自在に連結して、前記太陽電池の受光面が垂直位置と水平位置の間で調整可能にしたことを特徴とする換気用窓パネル装置。
【手続補正書】
【提出日】平成23年12月16日(2011.12.16)
【手続補正１】
【補正対象書類名】明細書
【補正対象項目名】０００９
【補正方法】変更
【補正の内容】
【０００９】
以下に図１から図３を参照して本案の構造と作動を説明する。
図１は本案の引戸窓への装着図、図２は図１のA-A’断面、図３は本案の電気回路概要図である。
図1の１は引戸窓で、通常は引戸が2〜4枚で構成されている。2は引戸窓を構成する外周に設けた窓枠で、下側枠の上面には引戸の本数に合わせて2b窓枠下レールが装着され、上側枠の下面には引戸の本数に合わせて2a窓枠上溝が掘られている。3引戸の下端面には前記の2b窓枠下レールと係合する複数の滑車が装着された3b引戸下溝が設けられ、引戸の移動を容易にしている。他方の上端には前記2a窓枠上溝に係合する3a引戸上リブが設けられ、引戸の外れを防止している。
5パネルの装着は、複数本の引戸の内、最外側又は最内側の引戸と2窓枠との間に挿入取付けするが、図1では4引戸外側と2窓枠の間に挿入していて、5パネル上端には5aパネル上リブが設けられ、2a窓枠上溝に挿入され、他方の下端には5bパネル下溝が設けられ、2b窓枠下レールと係合される。5パネルの装着は、通常の引戸と同じ要領で、上側の2a窓枠上溝に5aパネル上リブを挿入し、次に2b窓枠下レールに5bパネル下溝を挿入すればよい。取外しは前記操作と逆の手順で行えばよい。5パネルには上端部に6aモータと6bファンが一体的に構成された6モータ付ファンが室内側から外側に向けて送風される様に取付けられ、下端部には10吸気口が設けられ、その穴を囲む様に11防虫網が取り付けられている。前記6モータ付ファンの下部で室内側に7のAC-DCコンバータと8切替スイッチが取付けられ、図1には記載が省略されているが、7のAC-DCコンバータの入力電源用リード線が商用電力のACコンセントに接続されている。また、5パネルの外側で、上下方向の略中央に9a電池ベースに装着された9太陽電池の上端部は12上部支持部材によって5パネル面に回転可能に固定されている。他方下端部は13下部支持部材によって14傾斜ステーと回転自在に連結され、その他端は15パネル移動支点と回転自在に連結され、15パネル移動支点は5パネル外面に沿って上下方向に移動と固定可能で、図2の上方向に行くほど9太陽電池表面と5パネル外面で作られる角度θは小さくなり、０度から４０度の範囲で調整可能で、日本国内の通常では30度程度が日照時間が最も長いとされている。
【手続補正２】
【補正対象書類名】特許請求の範囲
【補正対象項目名】全文
【補正方法】変更
【補正の内容】
【特許請求の範囲】
【請求項１】
太陽電池とモータ付ファンとAC-DCコンバータと切替スイッチと吸気窓を装置した引戸の幅の1/2以下のパネルを、引戸を半開きにして出来た、引戸と窓枠の隙間に挿入し、前記モータ付ファンは太陽電池と商用電源のいずれかの電力を必要に応じて切替使用することを特徴とする換気用窓パネル装置。
【請求項２】
前記請求項１に記載の換気用窓パネル装置において、前記パネルの上端側に窓枠上溝と係合するパネル上リブを設け、下端側に窓枠下レールと係合するパネル下溝を設け、最外側又は最内側の引戸のいずれか一方を半開きにし、窓枠と引戸の隙間に前記パネルを着脱可能にしたことを特徴とする換気用窓パネル装置。
【請求項３】
前記請求項１から３のいずれか１項に記載の換気用窓パネル装置において、前記モータ付ファンは前記パネルの上端部に装着し、前記吸気口は扁平開口形状で、前記パネルの下端部に、必要に応じて防虫網を付加して設けたことを特徴とする換気用窓パネル装置。
【請求項４】
前記請求項１から４のいずれか１項に記載の換気用窓パネル装置において、前記太陽電池の幅は前記パネル幅以下で、取付け位置は、前記パネルの外側で前記パネルの上下方向の略中央に設置し、前記パネル外面に対し、太陽電池の上端側を回転自在に上部支持部材で固定し、下端側を傾斜ステーと回転自在に連結し、前記傾斜ステーの他端をパネル面の垂直方向に移動できるパネル移動支点に回転自在に連結して、前記太陽電池の受光面が垂直位置と上向き傾斜角度約４０度の間で調整可能にしたことを特徴とする換気用窓パネル装置。
【手続補正書】
【提出日】平成24年3月31日(2012.3.31)
【手続補正１】
【補正対象書類名】特許請求の範囲
【補正対象項目名】全文
【補正方法】変更
【補正の内容】
【特許請求の範囲】
【請求項１】
太陽電池とモータ付ファンとAC-DCコンバータと切替スイッチと吸気窓を装置した換気用窓パネル装置において、パネルの上端側に窓枠上溝と係合するパネル上リブを設け、下端側に窓枠下レールと係合するパネル下溝を設け、引戸の最外側又は最内側のいずれか一方を半開きにし、窓枠と引戸の隙間に前記パネルを着脱可能に装着し、前記パネルの上端部に排気用のDCモータ付ファンを取付け、下端部に吸気窓を設け、その中間に、太陽電池を取付けた電池ベースの上端を回転可能に軸支し、下端を回転可能に取付けた傾斜ステーを経由して、前記パネルに移動可能に固定し、前記太陽電池が上向きに傾斜して固定できるようにし、前記DCモータ付ファンは太陽電池と商用電源のいずれかの電力を必要に応じて切替使用を可能にしたことを特徴とする換気用窓パネル装置。